(57)【要約】【課題】  通信装置間の無線接続を迅速に行うことができるようにする。【解決手段】  情報端末１２０であって、受信したビーコンに含まれるネットワーク識別子を選択する選択手段（Ｓ９０２、Ｓ９０５）と、前記選択されたネットワーク識別子における所定の位置に、所定の情報が含まれているときは、前記選択されたネットワーク識別子のネットワークに接続し（Ｓ９０８）、所定の情報が含まれていないときは、警告を出力する（Ｓ９０４）制御手段とを有する。【選択図】図９
2015080192.tif 000002
【特許請求の範囲】
【請求項１】
第１の通信装置と第２の通信装置とを有する通信システムであって、
前記第１の通信装置は、
少なくともネットワーク識別子を含む信号を送信する送信手段を有し、
前記第２の通信装置は、
受信した信号に含まれるネットワーク識別子を選択する選択手段と、
前記選択されたネットワーク識別子における所定の位置に、所定の情報が含まれているときは、前記選択されたネットワーク識別子のネットワークに接続し、所定の情報が含まれていないときは、警告を出力する制御手段と
を有することを特徴とする通信システム。
【請求項２】
第１の通信装置と、第２の通信装置において実行される接続プログラムと、を含む通信制御システムであって、
前記第１の通信装置は、
少なくともネットワーク識別子を含む信号を送信する送信手段を有し、
前記接続プログラムは、前記第２の通信装置のコンピュータに、
受信した信号に含まれるネットワーク識別子を選択する選択手順と、
前記選択されたネットワーク識別子における所定の位置に、所定の情報が含まれているときは、前記選択されたネットワーク識別子のネットワークに接続し、所定の情報が含まれていないときは、警告を出力する制御手順と
を実行させることを特徴とする通信制御システム。
【請求項３】
通信装置であって、
受信した信号に含まれるネットワーク識別子を選択する選択手段と、
前記選択されたネットワーク識別子における所定の位置に、所定の情報が含まれているときは、前記選択されたネットワーク識別子のネットワークに接続し、所定の情報が含まれていないときは、警告を出力する制御手段と
を有することを特徴とする通信装置。
【請求項４】
通信装置のコンピュータに、
受信した信号に含まれるネットワーク識別子を選択する選択手順と、
前記選択されたネットワーク識別子における所定の位置に、所定の情報が含まれているときは、前記選択されたネットワーク識別子のネットワークに接続し、所定の情報が含まれていないときは、警告を出力する制御手順と
を実行させることを特徴とする接続プログラム。
【請求項５】
前記制御手順は、
前記所定の情報が含まれているときに、他の通信装置との無線通信に用いられる設定情報が格納された設定テーブルを、前記選択されたネットワーク識別子に含まれる情報に基づいて読み出し、該設定テーブルの設定情報を前記通信装置内に設定することを特徴とする請求項４に記載の接続プログラム。
【請求項６】
前記制御手順は、前記所定の情報が含まれていないときは、他のネットワーク識別子の選択を促す警告を行うことを特徴とする請求項５に記載の接続プログラム。
【請求項７】
前記制御手順は、
前記所定の情報が含まれているときに、ユーザより、前記設定情報の入力があった場合、該入力された設定情報の設定可否を前記設定テーブルに基づいて判定し、設定不可と判定したときは、警告を出力することを特徴とする請求項５に記載の接続プログラム。
【請求項８】
前記制御手順は、設定不可と判定された設定情報の変更を促す警告を行うことを特徴とする請求項７に記載の接続プログラム。
【請求項９】
前記設定テーブルは、通信モード、認証方式、暗号方式、周波数チャンネル、伝送規格、通信プロトコル、ＩＰアドレスの少なくともいずれかの設定情報が格納されていることを特徴とする請求項５乃至８のいずれか１項に記載の接続プログラム。
【請求項１０】
通信装置の通信方法であって、
受信した信号に含まれるネットワーク識別子を選択する選択手順と、
前記選択されたネットワーク識別子における所定の位置に、所定の情報が含まれているときは、前記選択されたネットワーク識別子のネットワークに接続し、所定の情報が含まれていないときは、警告を出力する制御手順と
を有することを特徴とする通信方法。
【発明の詳細な説明】
【技術分野】
【０００１】
本発明は、無線接続技術に関するものであり、特に、通信システム、通信制御システム、通信装置、通信方法及び接続プログラムに関するものである。
【背景技術】
【０００２】
従来より、電子装置同士をネットワークにより無線接続し、データの送受信を行う種々のシステムが知られている。
【０００３】
一般にネットワークを介してデータの送受信を行うには、接続処理として、接続側の通信装置が接続先となるネットワークを特定し、無線通信に必要な設定情報（例えば、ＩＰアドレス、サブネットマスク、認証方式、暗号方式等）を設定する必要がある。しかしながら、ユーザにとってこれらの設定を行うことは容易ではなく、また、接続処理には一定程度の時間がかかるといった問題もある。このため、従来より、ネットワークに迅速に無線接続し、かつ、ユーザの接続操作を容易にする種々の提案がなされてきた。
【０００４】
例えば、特許文献１及び特許文献２では、被接続側の通信装置が、自装置のＩＰアドレスと個体識別子（例えば、装置の名前）とを記載したＳＳＩＤ（Service Set Identifier）を生成し、当該ＳＳＩＤをビーコンに含めて送信する構成が提案されている。
【０００５】
当該文献によれば、接続側の通信装置が、受信したビーコンに含まれる情報に基づいて無線通信に必要な設定情報を設定することができるため、ユーザの接続操作を容易にすることができる。また、接続側の通信装置が、接続先となるネットワークを検索するためのスキャン処理を行う必要がないため、接続処理におけるスキャン時間を短縮できる。
【発明の概要】
【発明が解決しようとする課題】
【０００６】
しかしながら、上記特許文献１及び２の場合、ユーザが途中で誤った接続操作を行った場合に、接続処理の時間が増大してしまうといった問題がある。
【０００７】
例えば、複数のビーコンを受信している状態において、ユーザが誤った接続先を選択した場合、接続側の通信装置では、当該誤った接続先に自装置での設定結果を送信し、一定時間、応答を待つこととなる。この場合、接続処理の時間は増大することとなる。
【０００８】
本発明は、上記事情に鑑みてこれを解決すべくなされたものであり、無線接続を迅速に行うことができるようにすることを目的とする。
【課題を解決するための手段】
【０００９】
本発明は、上記目的を達成すべく以下の如き構成を採用した。即ち、
第１の通信装置と第２の通信装置とを有する通信システムであって、
前記第１の通信装置は、
少なくともネットワーク識別子を含む信号を送信する送信手段を有し、
前記第２の通信装置は、
受信した信号に含まれるネットワーク識別子を選択する選択手段と、
前記選択されたネットワーク識別子における所定の位置に、所定の情報が含まれているときは、前記選択されたネットワーク識別子のネットワークに接続し、所定の情報が含まれていないときは、警告を出力する制御手段とを有する。
【発明の効果】
【００１０】
本発明の実施形態によれば、無線接続を迅速に行うことができるようになる。
【図面の簡単な説明】
【００１１】
【図１】実施形態に係る通信システムの一例である再生システムのシステム構成を示す図である。
【図２】再生システムの利用シーンの一例を説明する図である。
【図３】再生システムが有する各装置のハードウェア構成の一例を示す図である。
【図４】再生システムが有する各装置の無線接続に関する機能構成の一例を示す図である。
【図５】再生システムにおける接続処理の概要を説明するための図である。
【図６】被接続側の通信装置の一例である表示装置が送信するビーコンに含まれるＳＳＩＤの一例を示す図である。
【図７】無線通信に用いられる設定情報が格納された設定テーブルの一例を示す図である。
【図８】再生システムにおける接続処理の流れを示すシーケンス図である。
【図９】再生システムにおける接続処理の流れを示すシーケンス図である。
【図１０】接続側の通信装置の一例である情報端末における、接続操作用の表示画面の一例を示す図である。
【図１１】設定情報判定処理の流れ示すフローチャートである。
【図１２】情報端末における接続操作用の表示画面の一例を示す図である。
【図１３】様々な電子装置を用いて通信システムを構成した場合の、システム構成の一例を示す図である。
【発明を実施するための形態】
【００１２】
以下、図面を参照しながら、本発明の各実施形態について説明する。なお、本発明に係る無線接続技術は、例えば、情報端末と表示装置とを有する再生システムにおいて実現される。具体的には、情報端末が、コンテンツデータの再生に関する情報である再生制御情報を生成し、コンテンツデータとともに表示装置に送信することで、表示装置が当該再生制御情報に基づくコンテンツデータの再生を行う再生システムにおいて実現される。
【００１３】
つまり、以下で説明する再生システムは、本発明に係る通信システムの一例であり、該再生システムを構成する情報端末及び表示装置は、本発明に係る通信装置の一例である。また、表示装置と情報端末の接続プログラムとを有する再生制御システムは、本発明に係る通信制御システムの一例である。
【００１４】
以下、当該再生システムならびに当該再生システムを構成する情報端末及び表示装置について詳説したうえで、当該再生システムにおいて実現される無線接続技術の詳細について説明する。
【００１５】
［第１の実施形態］
＜再生システムのシステム構成＞
はじめに、再生システムのシステム構成について説明する。図１は、本実施形態に係る通信システムの一例である再生システム１００のシステム構成を示す図である。
【００１６】
再生システム１００は、本実施形態に係る通信装置の一例である情報端末１２０と表示装置１１０とを有する。再生システム１００において、情報端末１２０と表示装置１１０とはネットワーク等のデータ伝送路Ｎを介して通信可能に無線接続される。
【００１７】
情報端末１２０は、例えば３Ｇ（3rd Generation）、ＬＴＥ（Long Term Evolution）、４Ｇ（4th Generation）等の規格に準ずる通信方式により無線通信を行うよう構成されている。ただし、情報端末１２０は、例えばＺｉｇＢｅｅやＢｌｕｅｔｏｏｔｈ（登録商標）等に準ずる通信方式により無線通信を行うよう構成されていてもよい。
【００１８】
情報端末１２０は、例えばスマートフォンや携帯電話等の無線通信端末であっても、あるいはタブレットＰＣ（Personal Computer）やノート型ＰＣであってもよく、表示装置１１０と無線通信を行うことができる機器であれば何でもよい。
【００１９】
情報端末１２０には、本実施形態に係る接続プログラム（接続側）１２１と再生制御プログラム１２２とがインストールされている。情報端末１２０は、接続プログラム（接続側）１２１を実行することにより、表示装置１１０に無線接続する。また、表示装置１１０に無線接続された状態で、再生制御プログラム１２２を実行することにより、表示装置１１０に表示されるコンテンツデータについての再生制御情報を生成し、コンテンツデータとともに表示装置１１０に送信する。
【００２０】
表示装置１１０には、接続プログラム（被接続側）１１１と再生プログラム１１２とがインストールされている。表示装置１１０が、接続プログラム（被接続側）１１１を実行することにより、情報端末１２０では、無線通信に必要な設定情報を設定することが可能となる。また、再生プログラム１１２を実行することにより、表示装置１１０では情報端末１２０から送信されたコンテンツデータを、再生制御情報に基づいて再生することができる。
【００２１】
なお、表示装置１１０は、情報端末１２０から送信された再生制御情報に基づきコンテンツデータを表示する無線通信機能及び表示機能を有していればよく、例えばプロジェクタやディスプレイ等の機器であればよい。
【００２２】
なお、本実施形態の説明では、表示装置１１０が再生制御情報に従ってコンテンツデータを表示することを、コンテンツデータを再生する、と表現する。
【００２３】
また、本実施形態の説明におけるコンテンツデータには、例えば、画像（静止画）データや動画データ等が含まれる。また、コンテンツデータとなる画像データは、例えば１枚の画像からなる画像データであってもよいし、複数枚の画像からなる画像データ群であってもよい。すなわち、本実施形態の説明におけるコンテンツデータは、表示装置１１０にて再生させることが可能なデータであれば何でもよい。
【００２４】
なお、以下の各実施形態の説明では、表示装置１１０にて再生されるコンテンツデータを再生コンテンツデータと呼び、それ以外の、例えば所定の記憶領域に格納されているコンテンツデータを単にコンテンツデータと呼ぶ。
【００２５】
＜再生システムの利用シーンの説明＞
次に、図２を参照しながら、再生システム１００の利用シーンについて説明する。図２は、再生システム１００の利用シーンの一例を説明する図である。
【００２６】
図２の例では、情報端末１２０としてスマートフォン又はタブレットＰＣを用い、表示装置１１０としてプロジェクタ２１１とスクリーン２１２とを用いた再生システム１００を示している。当該再生システム１００は、例えば電子看板（Digital Signage）として利用することができる。
【００２７】
情報端末１２０では、ユーザにより、コンテンツデータが選択されると、再生コンテンツデータを生成する。また、再生コンテンツデータの再生方法が設定されると、当該設定に基づき、再生コンテンツデータについての再生制御情報を生成する。そして情報端末１２０では、再生コンテンツデータと再生制御情報とをプロジェクタ２１１に送信する。プロジェクタ２１１では、受信した再生コンテンツデータを記憶部３１２（後述）に格納し、再生制御情報に従って再生コンテンツデータを再生する。
【００２８】
このように、再生システム１００によれば、ユーザは、再生コンテンツデータと再生制御情報とを、１度、情報端末１２０から表示装置１１０に送信すれば、表示装置１１０において当該再生コンテンツデータを所望の設定通りに継続して再生させることができる。
【００２９】
すなわち、再生システム１００を電子看板等に利用した場合、所望する再生コンテンツデータが自動的に再生されることとなり、ユーザは再生コンテンツデータの表示順序や表示の切り替え等に関する設定を、その都度行う必要がなくなる。
【００３０】
＜再生システムのハードウェア構成＞
次に図３を参照して再生システム１００が有する各装置のハードウェア構成を説明する。図３は、再生システム１００が有する各装置（表示装置１１０、情報端末１２０）のハードウェア構成の一例を示す図である。
【００３１】
情報端末１２０は、ＣＰＵ（Central Processing Unit）３２１、記憶部３２２、入力部３２３、外部インタフェース部３２４、ネットワーク制御部３２５、出力部３２６、ドライバ３２７を有する。なお、これらの各部はバスＢ２を介して相互に接続されている。
【００３２】
ＣＰＵ３２１は、情報端末１２０の各種動作を制御するコンピュータである。記憶部３２２は、情報端末１２０の動作や演算に係る各種情報、ＣＰＵ３２１により実行される、接続プログラム（接続側）１２１、再生制御プログラム１２２をはじめとする各種プログラムを格納する。入力部３２３は、各種信号や情報を入力するために用いられる。入力部３２３は、例えばタッチパネル等の表示機能を有していてもよい。また、入力部３２３は、例えばポインティングデバイスやキーボード等であってもよい。
【００３３】
外部インタフェース部３２４は、例えばＵＳＢ（Universal Serial Bus）メモリスロットやＮＦＣ（Near field communication）等である。ネットワーク制御部３２５は、モデム、ＬＡＮカード等を含み、ネットワークに無線接続し、該ネットワークを介して無線通信を行うのに用いられる。また、本実施形態では、例えば表示装置１１０に無線接続し、表示装置１１０との間で無線通信を行うのに用いられる。
【００３４】
出力部３２６は、情報端末１２０から外部に各種情報を出力するために用いられる。出力部３２６は、例えばディスプレイ等であってもよいし、外部装置へ各種情報を送信する送信部であってもよい。
【００３５】
なお、本実施形態に係る接続プログラム（接続側）１２１及び再生制御プログラム１２２は、情報端末１２０を制御する各種プログラムの少なくとも一部であり、例えば、記録媒体３２８の配布やネットワークからのダウンロードなどによって提供される。
【００３６】
ここで、接続プログラム（接続側）１２１及び再生制御プログラム１２２が格納された記録媒体３２８は、表示装置１１０と組み合わせ、再生制御システムとしてユーザに提供されてもよい。あるいは、表示装置１１０とは別個にユーザに提供されてもよい。つまり、接続プログラム(接続側)１２１及び再生制御プログラム１２２が格納された記録媒体３２８のみが単独でユーザに提供されてもよい。あるいは接続プログラム（接続側）１２１及び再生制御プログラムのみが単独でダウンロードされることでユーザに提供されてもよい。無論、情報端末１２０にはじめからインストールされた状態で、情報端末１２０として、ユーザに提供されてもよい。
【００３７】
接続プログラム（接続側）１２１及び再生制御プログラム１２２を記録した記録媒体３２８には、ＣＤ−ＲＯＭ、フレキシブルディスク、光磁気ディスク等のように情報を光学的，電気的或いは磁気的に記録する記録媒体を用いることができる。あるいは、ＲＯＭ、フラッシュメモリ等のように情報を電気的に記録する半導体メモリ等の記録媒体を用いることができる。
【００３８】
接続プログラム（接続側）１２１及び再生制御プログラム１２２を記録した記録媒体３２８がドライバ３２７にセットされると、接続プログラム（接続側）１２１及び再生制御プログラム１２２は記録媒体３２８から記憶部３２２にインストールされる。ネットワークからダウンロードされる場合にあっては、接続プログラム（接続側）１２１及び再生制御プログラム１２２は、ネットワーク制御部３２５を介して記憶部３２２にインストールされる。
【００３９】
記憶部３２２は、インストールされた接続プログラム（接続側）１２１及び再生制御プログラム１２２をはじめとする各種プログラムを格納すると共に、必要なファイル、データ等を格納する。ＣＰＵ３２１は記憶部３２２に格納された接続プログラム（接続側）１２１及び再生制御プログラム１２２を実行することにより、後述するような各種処理（接続処理、通信処理等）を実現する。
【００４０】
表示装置１１０は、それぞれがバスＢ１を介して相互に接続されているＣＰＵ３１１、記憶部３１２、入力部３１３、外部インタフェース部３１４、ネットワーク制御部３１５、表示部３１６、ドライバ３１７を有する。
【００４１】
ＣＰＵ３１１は、表示装置１１０の各種動作を制御するコンピュータである。記憶部３１２は、表示装置１１０の動作や演算に係る各種情報や、ＣＰＵ３１１により実行される接続プログラム（被接続側）１１１及び再生プログラム１１２をはじめとする各種プログラムや、表示装置１１０で再生される再生コンテンツデータ等を格納する。入力部３１３は、各種信号や情報を入力するために用いられる。入力部３１３は、例えば表示装置１１０を操作する操作部材等である。
【００４２】
外部インタフェース部３１４は、例えば、ＵＳＢ（Universal Serial Bus）メモリスロットやＮＦＣ（Near field communication）等である。ネットワーク制御部３１５は、ネットワークに無線接続し、該ネットワークを介して無線通信を行うのに用いられる。また、本実施形態では、例えば、情報端末１２０との間で無線通信を行うのに用いられる。表示部３１６は、表示装置１１０が再生指示を受けた再生コンテンツデータを再生する。
【００４３】
接続プログラム（被接続側）１１１及び再生プログラム１１２は、表示装置１１０を制御する各種プログラムの少なくとも一部である。接続プログラム（被接続側）１１１及び再生プログラム１１２は、例えば、記録媒体３１８の配布やネットワークからのダウンロードなどによって提供される。
【００４４】
接続プログラム（被接続側）１１１及び再生プログラム１１２を記録した記録媒体３１８がドライバ３１７にセットされると、接続プログラム（被接続側）１１１及び再生プログラム１１２は記録媒体３１８から記憶部３１２にインストールされる。また、ネットワークからダウンロードされる場合にあっては、接続プログラム（被接続側）１１１及び再生プログラム１１２は、ネットワーク制御部３１５を介して記憶部３１２にインストールされる。
【００４５】
記憶部３１２は、インストールされた接続プログラム（被接続側）１１１及び再生プログラム１１２を格納するとともに、必要なファイルや再生コンテンツデータ等の各種情報を格納する。ＣＰＵ３１１は記憶部３１２に格納された接続プログラム（被接続側）１１１及び再生プログラム１１２を実行することにより、後述するような各種処理（接続処理等）を実現する。
【００４６】
＜再生システムにおける無線接続に関する機能構成＞
次に、図４を参照して、再生システム１００が有する各装置（表示装置１１０、情報端末１２０）の無線接続に関する機能構成について説明する。図４は、再生システム１００が有する各装置（表示装置１１０、情報端末１２０）の無線接続に関する機能構成の一例を示す図である。
【００４７】
図４（ａ）は、表示装置１１０の無線接続に関する機能構成であり、表示装置１１０が有する接続プログラム（被接続側）１１１がＣＰＵ３１１によって実行されることで実現される機能構成を示している。
【００４８】
図４（ａ）に示すように、表示装置１１０は、ユーザ操作部４１１、無線設定保持部４１２、接続制御部４１３、ＳＳＩＤ生成部４１４、識別子生成部４１５を備える。
【００４９】
ユーザ操作部４１１は、無線接続するための接続操作をユーザから受け付ける。本実施形態では、表示装置１１０の電源がオンされると、接続プログラム（被接続側）１１１が起動するよう構成されており、ユーザ操作部４１１では、表示装置１１０の電源オン操作を受け付ける。
【００５０】
無線設定保持部４１２は、表示装置１１０が情報端末１２０と無線通信する際に表示装置１１０内に設定される、設定情報を格納する設定テーブル４３１を保持する。図４（ｃ）は設定テーブル４３１の一例である。図４（ｃ）に示すように、設定テーブル４３１は、設定項目と設定情報とにより構成されている。無線通信に際して表示装置１１０内には、図４（ｃ）に示す設定項目についての設定情報が設定される。なお、設定テーブルに格納される設定情報の詳細は後述する。
【００５１】
接続制御部４１３は、ビーコン（少なくともネットワーク識別子を含む信号）の生成ならびにビーコンの送信を制御する。また、無線設定保持部４１２に保持された設定テーブル４３１の設定情報を、表示装置１１０内に設定する。
【００５２】
ＳＳＩＤ生成部４１４は、ビーコンに含めるＳＳＩＤ（Service Set Identifier）を生成する。ここで、ＳＳＩＤとは、ネットワークを識別するネットワーク識別子である（アクセスポイントを介する通信の場合にあっては、アクセスポイントを識別するための名前である）。アドホックモード（アクセスポイントを介さない通信を行うモード）においては、それぞれの通信装置間において共通のＳＳＩＤが設定される。
【００５３】
識別子生成部４１５は、ＳＳＩＤ生成部４１４におけるＳＳＩＤの生成に用いられる方式識別子、テーブル識別子、個体識別子を生成する。
【００５４】
方式識別子とは、無線接続における接続処理の方式を特定する識別子である。後述するように、本実施形態では、被接続側の通信装置である表示装置１１０と接続側の通信装置である情報端末１２０とが以下のような前提のもとで接続処理を行い、無線通信に必要な設定情報の設定を行う。
・被接続側の通信装置及び接続側の通信装置のそれぞれが、無線通信に用いられる設定情報が格納された設定テーブルを有している。
・ビーコンに含めるＳＳＩＤにおいて、接続側の通信装置が、無線通信に用いるべき設定テーブルを特定する識別子を記載する。
・被接続側の他の通信装置のＳＳＩＤと重複することがないようにＳＳＩＤを生成する。
【００５５】
識別子生成部４１５では、このような前提のもとで接続処理を行う方式の場合に、他の方式の接続処理と区別するために、特定の文字列からなる方式識別子を生成する。
【００５６】
テーブル識別子とは、無線通信に用いられる設定情報が格納された設定テーブルを特定する識別子である。個体識別子とは、装置ごとに個別に付けられた固有情報（例えば、装置の製造番号やＭＡＣアドレス等）からなる識別子である。個体識別子は、別体の装置（あるいは異なるネットワーク制御部３１５）であれば異なる値となる。
【００５７】
図４（ｄ）は、識別子生成部４１５において生成された識別子を用いて、ＳＳＩＤ生成部４１４において生成されるＳＳＩＤの一例を示す図である。図４（ｄ）に示すように、ＳＳＩＤは３２バイトにより構成されており、０〜２バイトまでは、方式識別子が記載される。また、３〜５バイトまでは、テーブル識別子が記載される。更に、６〜１９バイトまでは被接続側の通信装置である表示装置に関する情報が記載される。被接続側の通信装置に関する情報とは、例えば、装置名称等であり、情報端末１２０において、当該ＳＳＩＤを含むビーコンを送信する装置を表示する際に、当該装置名称が用いられる。更に、２０〜３１バイトまでは、個体識別子が記載される。なお、ＳＳＩＤの具体例については後述する。
【００５８】
図４（ｂ）は、情報端末１２０の無線接続に関する機能構成であり、情報端末１２０が有する接続プログラム（接続側）１２１がＣＰＵ３２１によって実行されることで実現される機能構成を示している。
【００５９】
図４（ｂ）に示すように、情報端末１２０は、ユーザ操作部４２１、無線設定保持部４２２、接続制御部４２３、表示制御部４２４、ＳＳＩＤ解析部４２５、操作判定部４２６を備える。
【００６０】
ユーザ操作部４２１は、無線接続するための接続操作をユーザから受け付ける。本実施形態では、情報端末１２０の電源オン操作や、再生制御プログラム１２２の起動操作あるいはＳＳＩＤの選択操作を受け付ける。なお、本実施形態では、再生制御プログラム１２２を起動させることで、自動的に接続プログラム（接続側）１２１が起動されるよう構成されているものとする。
【００６１】
無線設定保持部４２２は、情報端末１２０が表示装置１１０と無線通信する際に、情報端末１２０内に設定される設定情報を格納する設定テーブル４４１、４４２・・・を保持する。なお、無線設定保持部４２２において保持される設定テーブル４４１、４４２・・・には、表示装置１１０において保持される設定テーブル４３１と同じ設定テーブルが含まれる。
【００６２】
後述するように、情報端末１２０は、それぞれ異なるテーブル識別子が記載されたＳＳＩＤを含むビーコンを送信するいずれの表示装置とも無線通信することができる構成となっている。このため、無線設定保持部４２２には、各テーブル識別子に対応した複数の設定テーブルが保持されている。なお、設定テーブルの具体例については後述する。
【００６３】
接続制御部４２３は、表示装置１１０を含む各装置より送信されたビーコンを受信する。また、受信したビーコンそれぞれに含まれるＳＳＩＤのうち、ユーザにより選択されたＳＳＩＤを、接続先のネットワークとして設定する。更に、選択されたＳＳＩＤに含まれるテーブル識別子に基づいて、無線設定保持部４１２に保持された設定テーブルの中から、無線通信に用いる設定テーブル（例えば、設定テーブル４４１）を読み出し、情報端末１２０内に設定する。
【００６４】
表示制御部４２４は、再生制御プログラム１２２を起動するための起動画面を表示する。また、受信したビーコンそれぞれに含まれるＳＳＩＤの中から、接続先のネットワークとして、ＳＳＩＤをユーザが選択できるように、選択画面を表示する。
【００６５】
また、表示制御部４２４は、選択画面においてユーザにより選択されたＳＳＩＤに対応する装置が、情報端末１２０によって無線接続することが可能な装置ではなかった場合に、警告を出力する。更に、選択画面においてユーザにより選択されたＳＳＩＤに対応する装置が、無線接続可能な装置であり、かつ、接続先のネットワークとの無線接続が完了した場合には、接続先に関する情報（装置名称等）を表示する。
【００６６】
ＳＳＩＤ解析部４２５は、受信したビーコンによりＳＳＩＤを抽出する。更に、抽出したＳＳＩＤを解析することにより、ＳＳＩＤに含まれる方式識別子やテーブル識別子、装置名称を抽出する。
【００６７】
操作判定部４２６は、選択画面においてユーザにより選択されたＳＳＩＤに対応する装置が、情報端末１２０によって無線接続することが可能な装置であるのか否かを判定する。
【００６８】
具体的には、選択されたＳＳＩＤに含まれる方式識別子が、特定の文字列からなる方式識別子であった場合に、無線接続可能な装置であると判定する。一方、特定の文字列からなる方式識別子でなかった場合には、無線接続可能な装置ではないと判定する。
【００６９】
＜接続処理の概要＞
次に、再生システム１００における接続処理の概要について図４を参照しながら、図５を用いて説明する。なお、以下では、再生システム１００における接続処理の処理内容をよりわかりやすくするためには、情報端末１２０のユーザが、複数の装置の中から一の装置を選択して無線接続する場合について説明する。
【００７０】
図５の例は、表示装置Ａ（１１０）、表示装置Ａ'（１１０'）、表示装置Ｂ（５１０）、表示装置Ｃ（５１１）、他の装置５１２、情報端末１２０が互いに隣接して配置され、情報端末１２０が、各装置からビーコンを受信している状態を示している。かかる状態のもとで、情報端末１２０のユーザは、表示装置Ａ（１１０）、表示装置Ａ'（１１０'）、表示装置Ｂ（５１０）、表示装置Ｃ（５１１）の中から、一の装置を選択して無線接続するものとする。
【００７１】
ここで、表示装置Ａ（１１０）、表示装置Ａ'（１１０'）、表示装置Ｂ（５１０）、表示装置Ｃ（５１１）には、接続プログラム（被接続側）１１１がインストールされているものとする。一方、他の装置５１２には、接続プログラム（被接続側）１１１がインストールされていないものとする。
【００７２】
また、表示装置Ａ（１１０）のＳＳＩＤ（ＳＳＩＤ（Ａ）と称す）と表示装置Ａ'（１１０'）のＳＳＩＤ（ＳＳＩＤ（Ａ'）と称す）とは、方式識別子、テーブル識別子が同じで、個体識別子が異なっているものとする。一方、表示装置Ｂ（５１０）のＳＳＩＤ（ＳＳＩＤ（Ｂ）と称す）、表示装置Ｃ（５１１）のＳＳＩＤ（ＳＳＩＤ（Ｃ）と称す）は、表示装置Ａ（１１０）のＳＳＩＤ（Ａ）とは、方式識別子が同じで、テーブル識別子、個体識別子が異なっているものとする。更に、他の装置５１２のＳＳＩＤ（ＳＳＩＤ（Ｘ））には、方式識別子が含まれていないものとする。
【００７３】
このような状態のもとで、情報端末１２０では、ＳＳＩＤ解析部４２５が、受信したビーコンそれぞれに含まれるＳＳＩＤを抽出するとともに、抽出したＳＳＩＤに含まれる装置名称を取得する。
【００７４】
また、表示制御部４２４では、抽出されたＳＳＩＤを装置名称とともに選択画面に表示し、ユーザに対して、ＳＳＩＤの選択を促す。表示された選択画面において、ユーザがいずれかのＳＳＩＤを選択すると、ＳＳＩＤ解析部４２５では、選択されたＳＳＩＤの所定の位置（方式識別子が記載されるべき位置）の情報を取得する。
【００７５】
操作判定部４２６では、ＳＳＩＤ解析部４２５において取得された情報に基づいて、ユーザにより選択されたＳＳＩＤに対応する装置が、情報端末１２０によって無線接続可能な装置であるか否かを判定する。なお、ユーザにより選択されたＳＳＩＤに対応する装置が、情報端末１２０によって無線接続可能な装置である場合とは、ユーザにより、正しいＳＳＩＤが選択された場合である。一方、ユーザにより選択されたＳＳＩＤに対応する装置が、情報端末１２０によって無線接続することができない装置である場合とは、ユーザにより、誤ったＳＳＩＤが選択された場合である。
【００７６】
無線接続可能な装置であると判定された場合には（つまり、ユーザにより正しい選択操作が行われた場合には）、接続制御部４２３が、当該判定されたＳＳＩＤを接続先のネットワークとして設定する。更に、当該判定されたＳＳＩＤに含まれるテーブル識別子に対応する設定テーブルを無線設定保持部４２２より読み出し、情報端末１２０内に設定する。
【００７７】
一方、無線接続可能な装置ではないと判定された場合には（つまり、ユーザにより誤った選択操作が行われた場合には）、表示制御部４２４が警告を出力する。このように、ユーザにより誤った選択操作が行われた場合に、当該ＳＳＩＤを接続先のネットワークとして設定することなく直ちに警告を出力することで、ユーザの選択操作の誤りに起因する接続処理時間の増大を回避することができる。
【００７８】
＜ＳＳＩＤの具体例＞
次に、接続プログラム（被接続側）１１１のＳＳＩＤ生成部４１４により生成されるＳＳＩＤの具体例について説明する。図６は、図５に示す各装置の接続プログラム（被接続側）１１１のＳＳＩＤ生成部４１４によって生成されるＳＳＩＤの具体例を示す図である。
【００７９】
上述したように、ＳＳＩＤは３２バイトにより構成されている。図６に示すＳＳＩＤのうち、（ａ）〜（ｄ）は、それぞれ、接続プログラム（被接続側）１１１により生成されたＳＳＩＤである。つまり、図５の表示装置Ａ（１１０）、表示装置Ａ'（１１０'）、表示装置Ｂ（５１０）、表示装置Ｃ（５１１）において生成されたＳＳＩＤである。
【００８０】
上述したように、接続プログラム（被接続側）１１１により生成されるＳＳＩＤの場合、０〜２バイトまでは、方式識別子が記載される。ここで、表示装置（Ａ）１１０、表示装置（Ａ'）１１０'、表示装置（Ｂ）５１０、表示装置（Ｃ）５１１は、いずれも、上述した方式により接続処理が行われるため、特定の文字列（図６の例では、"ＲＴＣ"）からなる方式識別子が記載される。
【００８１】
また、上述したように、接続プログラム（被接続側）１１１により生成されるＳＳＩＤの場合、３〜５バイトまでは、テーブル識別子が記載される。ここで表示装置（Ａ）１１０と表示装置（Ａ'）１１０'とは、同じ設定テーブルを用いて設定が行われるため、同じテーブル識別子が記載される。一方、表示装置（Ｂ）５１０、表示装置（Ｃ）５１１は、異なる設定テーブルを用いて設定が行われるため、異なるテーブル識別子が記載される。
【００８２】
また、上述したように、接続プログラム（被接続側）１１１により生成されるＳＳＩＤの場合、６〜１９バイトまでは被接続側の通信装置である表示装置に関する情報が記載される。ここで、表示装置（Ａ）１１０と表示装置（Ａ'）１１０'とは、製品種類が同じであるため同じ装置名称が記載される。一方、表示装置（Ｂ）５１０、表示装置（Ｃ）５１１は、製品種類が異なるため、異なる装置名称が記載される。
【００８３】
また、上述したように、接続プログラム（被接続側）１１１により生成されるＳＳＩＤの場合、２０〜３１バイトまでは、個体識別子が記載される。ここで、表示装置（Ａ）１１０、表示装置（Ａ'）１１０'、表示装置（Ｂ）５１０、表示装置（Ｃ）５１１は、互いに別個の個体であるため、いずれも異なる個体識別子が記載される。
【００８４】
このように、ＳＳＩＤには個体識別子が含まれるため、複数の表示装置間で、ＳＳＩＤが重複することはない。このため、同じ設定テーブルが用いられ、同じＩＰアドレスが設定されたとしても、ＳＳＩＤが異なるため、各表示装置間でＩＰアドレスの衝突が起きることはない。
【００８５】
一方、図６（ｅ）のＳＳＩＤは、接続プログラム（被接続側）１１１がインストールされていない、他の装置５１２により生成されたＳＳＩＤである。このため、図６（ａ）〜（ｄ）のＳＳＩＤとは異なるフォーマットによりＳＳＩＤが構成される。
【００８６】
＜設定テーブルの詳細＞
次に、接続プログラム（被接続側）１１１の無線設定保持部４１２、及び／または、接続プログラム（接続側）１２１の無線設定保持部４２２において保持され、テーブル識別子により特定される設定テーブルについて説明する。
【００８７】
図７は、表示装置Ａ（１１０）、表示装置Ａ'（１１０'）、表示装置Ｂ（５１０）、表示装置Ｃ（５１１）、及び／または、情報端末１２０が有する設定テーブルの一例を示す図である。図７（ａ）〜（ｃ）に示すように、設定テーブルにはそれぞれ、テーブル識別子（"００１"、"００２"、"００３"）が付されている。
【００８８】
また、図７（ａ）〜（ｃ）に示すように、設定情報には、通信モード、認証方式、暗号方式、周波数チャンネル、伝送規格、通信プロトコルが含まれる。更に、接続される無線装置のＩＰｖ４アドレスまたはＩＰｖ６アドレス、ＩＰｖ４サブネットマスクアドレスまたはＩＰｖ６プレフィックス等が含まれる。
【００８９】
通信モードには、アドホックモードまたはソフトＡＰ（Access Point）モードが設定される。なお、ソフトＡＰモードとは、被接続側の通信装置である表示装置をソフトウェアレベルでアクセスポイントとして機能させるモードである。
【００９０】
認証方式及び暗号方式については、様々な公知の技術を採用することができる。例えば、暗号方式としては、ＷＥＰ（Wired Equivalent Privacy）やＷＰＡ（Wi-Fi Protected Access）が一例として挙げられる。
【００９１】
通信プロトコルは、ＩＰｖ（Internet Protocol Version）４であってもＩＰｖ６であっても、その他の独自のプロトコルであってもよい。ＩＰｖ４アドレスとＩＰｖ４サブネットマスクアドレスは対になって使用され、互いに対応した値をとる。ＩＰｖ６とＩＰｖ６プレフィックスも同様に互いに対応した値をとる。
【００９２】
設定テーブルには、これらの設定情報のほか、周波数チャンネルや伝送規格が含まれる。伝送規格は、ＩＥＥＥ８０２の種別を特定する。
【００９３】
なお、図６に示すＳＳＩＤのテーブル識別子に示すように、本実施形態において、表示装置Ａ（１１０）または表示装置Ａ'（１１０'）と無線接続する場合には、図７（ａ）の設定テーブル（テーブル識別子００１）が用いられる。また、表示装置Ｂ（５１０）、表示装置Ｃ（５１１）と無線接続する場合には、図７（ｂ）、（ｃ）の設定テーブル（テーブル識別子００２または００３）が用いられる。
【００９４】
＜再生システムにおける接続処理の流れ＞
次に、再生システム１００における接続処理の流れについて説明する。図８、図９は、再生システム１００における接続処理の流れを示すシーケンス図である。
【００９５】
はじめに、ユーザは、情報端末１２０の電源をオンし、再生制御プログラム１２２を起動させることで、接続プログラム（接続側）１２１を起動する（ステップＳ８０１）。続いて、各表示装置の電源をオンし、接続プログラム（被接続側）１１１を起動させる（ステップＳ８０２）。
【００９６】
各表示装置では、接続プログラム（被接続側）１１１が起動すると、接続制御部４１３が、各表示装置の設定情報を予め決められた設定情報に変更する（ステップＳ８０３）。更に、ＳＳＩＤ生成部４１４が、方式識別子、テーブル識別子、個体識別子を含むＳＳＩＤを生成する（ステップＳ８０４）。
【００９７】
具体的には、表示装置Ａ（１１０）の場合、図７（ａ）の設定テーブル（００１）に基づく設定情報に変更するとともに、図６（ａ）のＳＳＩＤ（ＳＳＩＤ（Ａ））を生成する。また、表示装置Ａ'（１１０'）の場合、図７（ａ）の設定テーブル（００１）に基づく設定情報に変更するとともに、図６（ｂ）のＳＳＩＤ（ＳＳＩＤ（Ａ'））を生成する。
【００９８】
更に、表示装置Ｂ（５１０）の場合、図７（ｂ）の設定テーブル（００２）に基づく設定情報に変更するとともに、図６（ｃ）のＳＳＩＤ（ＳＳＩＤ（Ｂ））を生成する。表示装置Ｃ（５１１）の場合、図７（ｃ）の設定テーブル（００３）に基づく設定情報に変更するとともに、図６（ｄ）のＳＳＩＤ（ＳＳＩＤ（Ｃ））を生成する。
【００９９】
続いて、各表示装置では、接続制御部４１３が、生成されたＳＳＩＤを含むビーコンを送信する（ステップＳ８０５）。情報端末１２０では、接続制御部４２３が、各表示装置より送信されたビーコンを受信し記憶する（ステップＳ８０６）。
【０１００】
続いて、ユーザは他の装置５１２の電源をオンする（ステップＳ８０７）。他の装置５１２においても、電源がオンされると、予め決められた設定情報に変更されるとともに（ステップＳ８０８）、ＳＳＩＤを生成する（ステップＳ８０９）。なお、他の装置５１２には、接続プログラム（被接続側）１１１がインストールされていないため、方式識別子、テーブル識別子、個体識別子を含むＳＳＩＤは生成されない（図６（ｅ）参照）。なお、他の装置５１２において、変更される設定情報は、図７（ａ）から（ｃ）に例示した設定テーブルの設定情報であってもよいし、それ以外の設定テーブルの設定情報であってもよい。
【０１０１】
続いて、他の装置５１２では、生成したＳＳＩＤを含むビーコンを送信する（ステップＳ８１０）。情報端末１２０では、接続制御部４２３が、他の装置５１２より送信されたビーコンを受信し記憶する（ステップＳ８１１）。
【０１０２】
続いて図９に進む。情報端末１２０では、ＳＳＩＤ解析部４２５が、ステップＳ８０６及びステップＳ８１１において記憶した全ビーコンからＳＳＩＤを抽出する。更に、抽出したＳＳＩＤをその時点で情報端末１２０が認識しているネットワークとして、選択画面に表示する（ステップＳ９０１）。
【０１０３】
具体的には、表示装置Ａ（１１０）のビーコンからは、図６（ａ）に示すＳＳＩＤ（Ａ）を抽出し、該ＳＳＩＤ（Ａ）に含まれる装置名称とともに選択画面に表示する。また、表示装置Ａ'（１１０'）のビーコンからは、図６（ｂ）に示すＳＳＩＤ（Ａ'）を抽出し、該ＳＳＩＤ（Ａ'）に含まれる装置名称とともに選択画面に表示する。同様に、表示装置Ｂ（５１０）のビーコンからは、図６（ｃ）に示すＳＳＩＤ（Ｂ）を、表示装置Ｃ（５１１）のビーコンからは、図６（ｄ）に示すＳＳＩＤ（Ｃ）をそれぞれ抽出し、装置名称とともに選択画面に表示する。更に、他の装置５１２からは、図６（ｅ）に示すＳＳＩＤ（Ｘ）を抽出し、装置名称とともに選択画面に表示する。
【０１０４】
図１０（ａ）は、情報端末１２０に表示された選択画面１０００の一例を示す図である。領域１００１〜１００５に表示された装置名称及びＳＳＩＤは、それぞれ、表示装置（Ａ）１１０、表示装置（Ａ'）１１０'、表示装置（Ｂ）５１０、表示装置（Ｃ）５１１、他の装置５１２から送信されたビーコンより抽出された装置名称及びＳＳＩＤである。
【０１０５】
ここで、情報端末１２０に表示された選択画面１０００において、ユーザが、領域１００５を指定し領域１００５に表示されたＳＳＩＤを接続先のネットワークとして選択したとする（ステップＳ９０２）。
【０１０６】
情報端末１２０では、指定された領域１００５のＳＳＩＤ（Ｘ）を解析することにより、当該接続先のネットワークに対応する装置が、情報端末１２０により無線接続可能な装置であるか否かを判定する（ステップＳ９０３）。
【０１０７】
具体的には、情報端末１２０のＳＳＩＤ解析部４２５が、指定された領域１００５に表示されたＳＳＩＤの０〜２バイトの情報を抽出する。更に、操作判定部４２６が、抽出された情報が特定の文字列からなる方式識別子であるか否かを判定する。
【０１０８】
当該情報が抽出されたＳＳＩＤ（Ｘ）は、接続プログラム（被接続側）１１１により生成されたＳＳＩＤではないため、０〜２バイトに方式識別子は含まれていない。このため、ステップＳ９０３では、ＳＳＩＤ（Ｘ）に対応する他の装置５１２は、情報端末１２０によって無線接続することが可能な装置ではないと判定する。更に、ステップＳ９０４では、表示制御部４２４が、警告を出力し、エラーメッセージを表示する。図１０（ｂ）は、ステップＳ９０４において表示された警告画面１０１０のエラーメッセージ１０１１の一例を示す図である。
【０１０９】
このように、情報端末１２０では、無線接続することができない装置がユーザにより誤って選択された場合でも、ＳＳＩＤに含まれる方式識別子に基づいて、ユーザの選択操作に誤りがあることを直ちに判断することができる。また、エラーメッセージを表示するため、ユーザ自身も、選択操作に誤りがあったことを直ちに認識することができる。
【０１１０】
つまり、ユーザにとっては、選択操作を行ったタイミングでエラーメッセージが表示されることとなる。このため、誤った接続先に接続しようとして、一定時間、接続先からの応答を待つといった事態を回避することができる。
【０１１１】
また、エラーメッセージには、選択操作に誤りがあったことが明示されるため（警告画面１０１０のエラーメッセージ１０１１参照）、ユーザは、誤りの原因を容易に認識することができる。
【０１１２】
図９の説明に戻る。情報端末１２０に表示された選択画面１０００において、ユーザが、領域１００１を指定し領域１００１に表示されたＳＳＩＤ（Ａ）を接続先のネットワークとして選択したとする（ステップＳ９０５）。
【０１１３】
情報端末１２０では、指定された領域１００１のＳＳＩＤ（Ａ）を解析することにより、当該接続先のネットワークに対応する装置が、情報端末１２０により無線接続することが可能な装置であるか否かを判定する（ステップＳ９０６）。
【０１１４】
具体的には、情報端末１２０のＳＳＩＤ解析部４２５が、指定された領域１００１に表示されたＳＳＩＤの０〜２バイトの情報を抽出する。更に、操作判定部４２６では、抽出された情報が特定の文字列からなる方式識別子であるか否かを判定する。
【０１１５】
当該情報が抽出されたＳＳＩＤ（Ａ）は、接続プログラム（被接続側）１１１により生成されたＳＳＩＤであるため、０〜２バイトには方式識別子が記載されている。このため、操作判定部４２６では、ＳＳＩＤ（Ａ）を含むビーコンを送信する表示装置（Ａ）１１０が、情報端末１２０により無線接続することが可能な装置であると判定する。そして、接続制御部４２３では、ＳＳＩＤ（Ａ）を接続先のネットワークとして設定し、ＳＳＩＤ（Ａ）に接続する（ステップＳ９０７）。
【０１１６】
更に、接続制御部４２３では、ＳＳＩＤ（Ａ）に含まれるテーブル識別子に対応する設定テーブル（００１）を、無線設定保持部４２２より読み出し、読み出した設定テーブルの設定情報を情報端末１２０内に設定する（ステップＳ９０８）。
【０１１７】
続いて、情報端末１２０では、接続制御部４２３が、無線接続が完了したことを、接続先（ここでは、表示装置Ａ）に送信する（ステップＳ９０９）。更に、表示制御部４２４が、情報端末１２０の出力部３２６に、接続先に関する情報を表示する（ステップＳ９１０）。具体的には、ＳＳＩＤの６〜１９バイトに含まれる装置名称を出力部３２６に表示する。
【０１１８】
図１０（ｃ）は、情報端末１２０の出力部３２６に表示された表示画面１０２０の一例を示す図である。図１０（ｃ）に示すように、表示画面１０２０には、無線接続した接続先に関する情報１１０１として、装置名称とＳＳＩＤとが表示される。
【０１１９】
接続先に関する情報が明示され、無線接続が完了したことを認識すると、通信処理が実行される。具体的には、ユーザが、情報端末１２０を介して、表示装置１１０において再生する再生コンテンツデータの生成に必要な指示を入力したり、再生制御情報の生成に必要な指示を入力したりする。また、再生コンテンツデータの生成及び再生制御情報の生成が終了すると、再生コンテンツデータ及び再生制御情報を表示装置１１０に送信するための指示を入力する（ステップＳ９１１）。
【０１２０】
当該指示に基づいて、情報端末１２０では、再生コンテンツデータ及び再生制御情報を生成するとともに、生成した再生コンテンツデータ及び再生制御情報を表示装置Ａ（１１０）に送信する（ステップＳ９１２）。これにより、表示装置Ａ（１１０）では、再生制御情報に基づく再生コンテンツデータの再生を行うことが可能となる。
【０１２１】
＜まとめ＞
以上の説明から明らかなように、本実施形態では、被接続側の通信装置である表示装置を以下のように構成した。
・所定の位置に方式識別子を記載するようにＳＳＩＤを生成する構成とした。
・当該ＳＳＩＤをビーコンに含めて送信する構成とした。
【０１２２】
また、本実施形態では、接続側の通信装置である情報端末を以下のように構成した。
・受信した各ビーコンに含まれるＳＳＩＤについて、所定の位置に方式識別子が記載されているか否かを判定する構成とした。
・記載されている場合には、当該ＳＳＩＤに対応する通信装置が、無線接続可能な通信装置であると判定する構成とした。また、記載されていない場合には、当該ＳＳＩＤに対応する通信装置は、無線接続可能な通信装置でないと判定する構成とした。
・受信した各ビーコンに含まれるＳＳＩＤの中から、ユーザが所定のＳＳＩＤを選択した場合において、該指定したＳＳＩＤに対応する通信装置が無線接続可能な通信装置であった場合には、接続先のネットワークとして設定する構成とした。また、無線接続可能な通信装置でなかった場合には、警告を出力する構成とした。
・警告の出力に際しては、選択されたＳＳＩＤに対応する通信装置が、無線接続可能な通信装置でないことを明示する構成とした。
【０１２３】
これにより、無線接続することができない装置がユーザによって誤って選択された場合であっても、接続側の通信装置である情報端末は、ＳＳＩＤに含まれる方式識別子に基づいて、ユーザの選択操作が誤っていることを直ちに判断することができる。また、エラーメッセージに基づいて、ユーザ自身も、選択操作に誤りがあったことを直ちに認識することができる。つまり、ユーザにとっては、誤った選択操作を行った場合、選択操作を行ったタイミングで警告を受けることができる。
【０１２４】
このため、例えば、誤った接続先に無線接続しようとして、一定時間、接続先からの応答を待つといった事態を回避することが可能となる。特に、接続先が選択されることにより、はじめて接続プログラム（接続側）１２１がＯＳ（Operating System）からＳＳＩＤを取得する構成において、かかる効果はより顕著になる。
【０１２５】
以上のとおり、本実施形態によれば、無線接続を迅速に行うことが可能となる。
【０１２６】
［第２の実施形態］
上記第１の実施形態では、接続操作のうち、ユーザがＳＳＩＤの選択操作を誤り、無線接続することができない通信装置を選択した場合の処理について説明したが、本発明はこれに限定されない。例えば、接続操作のうち、ユーザが設定情報の入力操作を誤り、無線通信することができない設定情報を入力した場合の処理（設定情報判定処理）についても同様である。
【０１２７】
ここで、無線設定保持部４２２に保持された設定テーブルの中には、設定情報の範囲のみが規定され、ユーザによる設定情報の入力が設定テーブルも含まれる。
【０１２８】
このような設定テーブルに対応するテーブル識別子が含まれたＳＳＩＤがユーザにより選択された場合、情報端末１２０では、設定情報の入力をユーザに促す。
【０１２９】
このとき、ユーザにより手動で入力された設定情報に誤りがあったとする（例えば、設定テーブルに規定された設定情報の範囲を超える設定情報が入力されたとする）。この場合、本実施形態では、情報端末１２０が設定情報判定処理を実行することでこれを識別し、直ちにユーザに対して警告を出力し、エラーメッセージを表示する。以下、設定情報判定処理の詳細について説明する。なお、設定情報判定処理は、例えば、図９のステップＳ９０６とＳ９０７との間において実行されるものとする。
【０１３０】
＜設定情報判定処理の流れ＞
図１１及び図１２を用いて設定情報判定処理の流れについて説明する。図１１は、情報端末１２０における設定情報判定処理の流れを示す図である。図１２は、設定情報判定処理を含む接続処理において、情報端末１２０に表示される表示画面の一例を示す図である。
【０１３１】
図１２（ａ）に示す選択画面１０００が表示されている状態で、ユーザが、領域１００１を指定し領域１００４に表示されたＳＳＩＤ（Ｃ）を接続先のネットワークとして選択したとする。
【０１３２】
ここで、ＳＳＩＤ（Ｃ）に対応する装置が無線接続可能な装置であると判定されると（ステップＳ９０６）、図１１に示す設定情報判定処理が開始される。
【０１３３】
ステップＳ１１０１では、選択されたＳＳＩＤ（ＳＳＩＤ（Ｃ））に含まれるテーブル識別子（００３）により特定される設定テーブルが、ユーザによる設定情報の入力が必要な設定テーブルであるか否かを判定する。
【０１３４】
ステップＳ１１０１において、ユーザにより設定情報の入力が必要な設定テーブルでないと判定された場合には、設定情報判定処理を終了し、図９のステップＳ９０７、Ｓ９０８、Ｓ９０９へと進む。
【０１３５】
一方、ステップＳ１１０１において、ユーザにより設定情報の入力が必要な設定テーブルであると判定された場合には、ステップＳ１１０２に進み、入力画面を表示することで、設定情報の入力を促すとともに、ユーザからの設定情報の入力を受け付ける。
【０１３６】
図１２（ｂ）は、入力画面１２１０の一例を示す図であり、入力欄１２１１に、設定情報を入力する（図１２（ｂ）の例では、ＩＰアドレスを入力する）。
【０１３７】
ステップＳ１１０３では、入力画面１２１０にてユーザにより入力された設定情報と、設定テーブル（００３）において規定された設定情報の範囲とを対比し、設定可否を判定する。
【０１３８】
ステップＳ１１０３における対比の結果、ユーザにより入力された設定情報が、設定テーブルにおいて規定された設定情報の範囲内にない（設定不可）と判定された場合には、ステップＳ１１０４からステップＳ１１０５へと進む。ステップＳ１１０５では、警告画面を表示することで、入力された設定情報を変更しないと無線通信ができないこと、及び、設定情報の範囲をユーザに明示する。
【０１３９】
図１２（ｃ）は、ステップＳ１１０５において表示される警告画面１２２０の一例を示している。
【０１４０】
このように、ユーザが、設定情報の範囲内にない設定情報を誤って入力してしまった場合でも、情報端末１２０によれば、設定テーブルに基づいて、ユーザが誤った入力操作を行ったことを直ちに判断することができる。また、エラーメッセージに基づいて、ユーザ自身も、入力操作に誤りがあったことを直ちに認識することができる。この結果、例えば、誤った設定情報のもとで無線通信を行おうとして、一定時間、接続先からの応答を待つといった事態を回避することができる。
【０１４１】
また、エラーメッセージには、入力操作に誤りがあったこと、及び、どのように修正すべきかが明示されるため、ユーザは、入力操作の誤りの原因を容易に認識することができる。
【０１４２】
一方、ステップＳ１１０３における対比の結果、ユーザにより入力された設定情報が、設定テーブルにおいて規定された設定情報の範囲内にあると（設定可）と判定された場合には、ステップＳ１１０４を経て、設定情報判定処理を終了する。この場合、ステップＳ９０７、Ｓ９０８、Ｓ９０９へと進み、図１２（ｄ）に示す表示画面１０２０が表示される。
【０１４３】
＜まとめ＞
以上の説明から明らかなように、本実施形態では、
・設定テーブルに格納された、無線通信に用いられる設定情報のうち、一部の設定情報が、ユーザにより入力される場合において、入力操作に誤りがないか否かを、当該設定テーブルに基づいて判定する構成とした。
・判定の結果、誤りがあった場合には、エラーメッセージを表示する構成とした。
・エラーメッセージの表示に際しては、誤りの原因を明示するとともに、入力可能な設定情報の範囲を明示する構成とした。
【０１４４】
このように、設定情報の入力操作に誤りがあった場合に、直ちにユーザにエラーメッセージを表示することで、ユーザは、入力操作に誤りがあったことを直ちに認識することができる。この結果、誤った設定情報のもとで無線通信を行おうとして、一定時間、接続先からの応答を待つといった事態を回避することができる。
【０１４５】
つまり、本実施形態によれば、通信装置間の無線接続を迅速に行うことができるようになる。
【０１４６】
［その他の実施形態］
上記各実施形態では、ＳＳＩＤを生成するにあたり、０〜２バイトに方式識別子を、３〜５バイトにテーブル識別子を、２０〜３１バイトに個体識別子を記載する構成としたが、本発明はこれに限定されない。方式識別子、テーブル識別子及び個体識別子を記載する位置は、接続プログラム（被接続側）１１１と接続プログラム（接続側）１２１との間で予め定められてさえいれば、任意の位置であってもよい。
【０１４７】
上記各実施形態では、警告の出力としてエラーメッセージを表示する構成としたが、本発明はこれに限定されない。例えば、警告を示す識別子を表示するなど、他の表示態様により警告を出力するように構成してもよい。また、警告の出力は、表示に限定されるものではなく、音声や光、振動等、他の出力態様であってもよいことはいうまでもない。
【０１４８】
上記各実施形態では、本発明に係る通信システムの一例として再生システムを挙げたが、本発明はこれに限定されない。電子装置同士をネットワークにより無線接続し、データの送受信を行うシステムであれば、どのようなシステムであってもよい。
【０１４９】
例えば、上記各実施形態では、通信システム１００を構成する電子装置として、プロジェクタ２１１やディスプレイ等の機器を例示したが、本発明はこれに限定されない。図１３は、様々な電子装置を用いて通信システム１００を構成した場合の、システム構成の一例を示す図である。
【０１５０】
図１３（ａ）、（ｂ）に示すように、例えば、テレビ会議システム１３０１や電子ホワイトボード１３０２等の電子装置を用いて通信システム１００を構成してもよい。あるいは、図１３（ｃ）に示すように、ＭＦＰ（Multi-Function Peripheral）１３０３やプリンタ（不図示）等の印刷機能を有する電子装置を用いて通信システム１００を構成してもよい。なお、ＭＦＰ１３０３やプリンタ等の印刷機能を有する電子装置の場合、情報端末１２０では、再生コンテンツデータを送信する代わりに、印刷データを送信するようにしてもよい。
【０１５１】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１５２】
１００    再生システム
１１０    表示装置
１１１    接続プログラム（被接続側）
１１２    再生プログラム
１２０    情報端末
１２１    接続プログラム（接続側）
１２２    再生制御プログラム
２１１    プロジェクタ
２１２    スクリーン
４１１    ユーザ操作部
４１２    無線設定保持部
４１３    接続制御部
４１４    ＳＳＩＤ生成部
４１５    識別子生成部
４２１    ユーザ操作部
４２２    無線設定保持部
４２３    接続制御部
４２４    表示制御部
４２５    ＳＳＩＤ解析部
４２６    操作判定部
【先行技術文献】
【特許文献】
【０１５３】
【特許文献１】特開２００６−２５４３０１
【特許文献２】特開２０１１−１８８２３８
【図１】
2015080192.tif 000003
【図２】
2015080192.tif 000004
【図３】
2015080192.tif 000005
【図４】
2015080192.tif 000006
【図５】
2015080192.tif 000007
【図６】
2015080192.tif 000008
【図７】
2015080192.tif 000009
【図８】
2015080192.tif 000010
【図９】
2015080192.tif 000011
【図１０】
2015080192.tif 000012
【図１１】
2015080192.tif 000013
【図１２】
2015080192.tif 000014
【図１３】
2015080192.tif 000015
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
第１の通信装置と第２の通信装置とを有する通信システムであって、
前記第１の通信装置は、
少なくともネットワーク識別子を含む信号を送信する送信手段を有し、
前記第２の通信装置は、
前記送信手段により送信された前記ネットワーク識別子を含む信号を受信する受信手段と、
前記受信手段により受信された信号に含まれる前記ネットワーク識別子における所定の位置に、所定の情報が含まれているときは、格納された、前記第１の通信装置との無線通信に用いられる無線設定情報を、前記ネットワーク識別子に含まれる情報に基づいて読み出し、該読み出した無線設定情報を前記第２の通信装置内に設定することで、前記ネットワーク識別子のネットワークに接続し、所定の情報が含まれていないときは、他のネットワーク識別子の選択を促す警告を出力する制御手段と
を有することを特徴とする通信システム。
【請求項２】
第１の通信装置と、第２の通信装置において実行される接続プログラムと、を含む通信制御システムであって、
前記第１の通信装置は、
少なくともネットワーク識別子を含む信号を送信する送信手段を有し、
前記接続プログラムは、前記第２の通信装置のコンピュータに、
前記送信手段により送信された前記ネットワーク識別子を含む信号を受信する受信手順と、
前記受信手順において受信された信号に含まれる前記ネットワーク識別子における所定の位置に、所定の情報が含まれているときは、格納された、前記第１の通信装置との無線通信に用いられる無線設定情報を、前記ネットワーク識別子に含まれる情報に基づいて読み出し、該読み出した無線設定情報を前記第２の通信装置内に設定することで、前記ネットワーク識別子のネットワークに接続し、所定の情報が含まれていないときは、他のネットワーク識別子の選択を促す警告を出力する制御手順と
を実行させることを特徴とする通信制御システム。
【請求項３】
通信装置であって、
送信されたネットワーク識別子を含む信号を受信する受信手段と、
前記受信手段により受信された信号に含まれる前記ネットワーク識別子における所定の位置に、所定の情報が含まれているときは、格納された、他の通信装置との無線通信に用いられる無線設定情報を、前記ネットワーク識別子に含まれる情報に基づいて読み出し、該読み出した無線設定情報を前記通信装置内に設定することで、前記ネットワーク識別子のネットワークに接続し、所定の情報が含まれていないときは、他のネットワーク識別子の選択を促す警告を出力する制御手段と
を有することを特徴とする通信装置。
【請求項４】
通信装置のコンピュータに、
送信されたネットワーク識別子を含む信号を受信する受信手順と、
前記受信手順において受信された信号に含まれる前記ネットワーク識別子における所定の位置に、所定の情報が含まれているときは、格納された、他の通信装置との無線通信に用いられる無線設定情報を、前記ネットワーク識別子に含まれる情報に基づいて読み出し、該読み出した無線設定情報を前記通信装置内に設定することで、前記ネットワーク識別子のネットワークに接続し、所定の情報が含まれていないときは、他のネットワーク識別子の選択を促す警告を出力する制御手順と
を実行させることを特徴とする接続プログラム。
【請求項５】
前記無線設定情報は、通信モード、認証方式、暗号方式、周波数チャンネル、伝送規格、通信プロトコル、ＩＰアドレスの少なくともいずれかを含むことを特徴とする請求項４に記載の接続プログラム。
【請求項６】
通信装置の通信方法であって、
送信されたネットワーク識別子を含む信号を受信する受信手順と、
前記受信手順において受信された信号に含まれる前記ネットワーク識別子における所定の位置に、所定の情報が含まれているときは、格納された、他の通信装置との無線通信に用いられる無線設定情報を、前記ネットワーク識別子に含まれる情報に基づいて読み出し、該読み出した無線設定情報を前記通信装置内に設定することで、前記ネットワーク識別子のネットワークに接続し、所定の情報が含まれていないときは、他のネットワーク識別子の選択を促す警告を出力する制御手順と
を有することを特徴とする通信方法。
【手続補正２】
【補正対象書類名】明細書
【補正対象項目名】０００９
【補正方法】変更
【補正の内容】
【０００９】
本発明は、上記目的を達成すべく以下の如き構成を採用した。即ち、
第１の通信装置と第２の通信装置とを有する通信システムであって、
前記第１の通信装置は、
少なくともネットワーク識別子を含む信号を送信する送信手段を有し、
前記第２の通信装置は、
前記送信手段により送信された前記ネットワーク識別子を含む信号を受信する受信手段と、
前記受信手段により受信された信号に含まれる前記ネットワーク識別子における所定の位置に、所定の情報が含まれているときは、格納された、前記第１の通信装置との無線通信に用いられる無線設定情報を、前記ネットワーク識別子に含まれる情報に基づいて読み出し、該読み出した無線設定情報を前記第２の通信装置内に設定することで、前記ネットワーク識別子のネットワークに接続し、所定の情報が含まれていないときは、他のネットワーク識別子の選択を促す警告を出力する制御手段とを有する。